(57)【特許請求の範囲】
【請求項１】
ディジタル専用線との接続インタフェースと、ＳＳ線／ＳＲ線のＯＤインタフェースと、を有する回線接続装置であって、
前記ＯＤインタフェースからのアナログ信号でのダイヤル回線情報を蓄積するダイヤル蓄積制御部と、
前記ディジタル専用線を経由した、相手の回線接続装置からのダイヤルトーンを検出するダイヤルトーン検出回路と、
前記ダイヤル蓄積制御部は、前記ＯＤインタフェースからのＳＳオンを検出し、かつ、前記ディジタル専用線を経由した回線接続装置からのダイヤルトーンを検出していないとき、前記ＯＤインタフェースからのアナログ信号でのダイヤル回線情報を蓄積し、前記ディジタル専用線を経由した回線接続装置からのダイヤルトーンを検出すると、蓄積したダイヤル回線情報をＰＢ変換するとともに、ディジタルデータとして前記ディジタル専用線に送出する
ことを特徴とする回線接続装置。
【発明の詳細な説明】
【０００１】
【発明の属する技術分野】
本発明は、回線接続装置及び記録媒体であり、特にディジタル専用線との接続インタフェースと、ＳＳ線／ＳＲ線のＯＤインタフェースと、を持つ回線接続装置のダイヤル蓄積方式に関する。
【０００２】
【従来の技術】
回線接続装置１Ａ、１Ｂは、図３に示すように、電話機２Ａ、２Ｂ、交換機３Ａ、３Ｂ及びディジタル専用線４を接続するシステムで使用される。回線接続装置１Ａ、１Ｂは、ディジタル専用線との接続インタフェースと、ＳＳ線／ＳＲ線のＯＤインタフェースを持っており、また、電話機２Ａ、２Ｂは、アナログ端末の一例であり、そして、交換機２Ａ、２Ｂは、ＳＳ線／ＳＲ線のＯＤインタフェースを持っている。
【０００３】
従来の回線接続装置１Ａ´、１Ｂ´は、図４に示すように、ＳＳ／ＳＲ制御部・ＳＳ／ＳＲ送受信回路１１´、ＰＢ変換制御部・ＰＢ変換回路１３´、アナログ／ディジタル変換回路１４´、回線制御部・回線送受信回路１６´を備えている。ＳＳ／ＳＲ制御部・ＳＳ／ＳＲ送受信回路１１´は、交換機とのインターフェースＳＳ線２１´とＳＲ線２２´を送受信制御し、そして、ＰＢ変換制御部・ＰＢ変換回路１３´と接続している。ＰＢ変換制御部・ＰＢ変換回路１３´は、アナログ／ディジタル変換回路１４´とデータの送受を行い、ダイヤル回線情報（ダイヤルパルス信号）をＰＢ信号に変換する。アナログ／ディジタル変換回路１４´は、交換機とのアナログデータパスでアナログデータ２３´を送受し、回線制御部・回線送受信回路１６´とディジタルデータを送受し、そして、アナログデータをディジタルデータに、また、その反対に変換する。回線制御部・回線送受信回路１６´は、ディジタル専用線との間でディジタルデータ２４を送受信する。
【０００４】
従来の回線接続装置では、交換機からのダイヤル回線情報を蓄積する必要はないとされており、ダイヤル回線情報の蓄積機能は具備していなかった。これは、本来、発側では、ダイヤルトーンを待ってダイヤルすることを前提としており、ワンタッチボタンに相手ダイヤルを登録し、オフフックと共にダイヤルするようなことを考慮していなかった。そのため、発側及び着側の回線接続装置間で行われるシーケンス制御において、交換機からのダイヤル回線情報を受け取れる状態（発側にダイヤルトーンが聞こえるまで）になるまで、交換機からのダイヤル回線情報を無視するか、または、回線接続装置間のシーケンスを無視して発側からのダイヤル回線情報を着側に送出するなどとしていた。これにより、無視された部分のダイヤル回線情報が相手へ伝送できず、誤ダイヤルを招いていた。
【０００５】
利用者は、従来の回線接続装置の仕様に合せ、発側からのダイヤル回線情報について、回線接続装置がダイヤル回線情報を受取れる状態になる（発側にダイヤルトーンが聞こえる）までの時間を考慮し、その時間を待ってからダイヤルする（ワンタッチボタンに相手ダイヤルを登録する際にポーズを入れるなど）などの使い方をしていた。これは、従来の回線接続装置は、相手からのダイヤルトーンを待ってからダイヤルする必要があり、ワンタッチボタンへの相手ダイヤル登録を使わないようにしていたり、これを使う場合であっても、回線接続装置がダイヤル回線情報を受取れる状態になるまでの時間を考慮し、ワンタッチボタンへポーズ時間を入れるなどの対策を行っていた。
【０００６】
従来のダイヤル蓄積機能を具備していない回線接続装置における、接続開始（オフフック）から通話までの基本的なシーケンスの一例について、図５を用いて説明する。
（１）待機状態から発信動作によりオフフック状態２０１になると、端末２Ａ´から交換機３Ａ´へオフフック２０２が通知される。それにより、交換機３Ａ´は、回線接続装置１Ａ´へＳＳ線をＳＳオン２０３し、回線接続装置１Ａ´へ発信を要求する。回線接続装置１Ａ´内のＳＳ／ＳＲ制御部・ＳＳ／ＳＲ送受信回路によりＳＳオンを検出し、相手の回線接続装置１Ｂ´へＰＢ信号により起動信号２０４を伝達する。起動信号２０４を受けた回線連続装置１Ｂ´は、交換機３Ｂ´に対して、ＳＲ線をＳＲオン２０５するとともに、接続確認信号２０６を返送する。その後、着側の交換機３Ｂ´から、ダイヤルトーン２０７が発信側の端末２Ａ´へ流れる。この時点から発側の回線接続装置１Ａ´では、交換機３Ａ´からのＳＳ線によるダイヤル回線情報を受取れる状態になる。
【０００７】
（２）ダイヤルトーン２０７が聞こえた発側端末２Ａ´は、ダイヤル回線情報２０８を送出し、交換機３Ａ´は、このダイヤル回線情報２０８を回線接続装置１Ａ´とのインタフェースであるＳＳ線に、ＳＳ線によるダイヤル回線情報２０９として送出する。回線接続装置１Ａ´は、ＳＳ／ＳＲ制御部・ＳＳ／ＳＲ送受信回路にて、このＳＳ線によるダイヤル回線情報２０９を受信し、ＰＢ変換制御部・ＰＢ変換回路にてＰＢ変換２１０し、アナログ／ディジタル変換回路を介して、回線制御部・回線送受信回路からディジタルデータとして、ディジタル専用線４´へ送出され、相手の回線接続装置１Ｂ´へＰＢダイヤル回線情報２１１として伝送される。ＰＢダイヤル回線情報２１１を受け取った回線接続装置１Ｂ´は、ＰＢ変換制御部・ＰＢ変換回路によってＰＢダイヤル回線情報２１１を解析し、ＳＳ／ＳＲ制御部・ＳＳ／ＳＲ送受信回路から、交換機３Ｂ´に対して、ＳＲ線によって、ＳＲ線によるダイヤル回線情報２１２を送出する。ＰＢダイヤル回線情報２１１が全て終了するまで、この一連のダイヤル回線情報伝送処理が繰り返される。一連のダイヤル回線情報伝送が終了すると、交換機３Ｂ´は、ダイヤル回線情報伝送終了を認識し、端末２Ｂ´に対してＩＲ出力２１３を行い、端末２Ｂ´を呼び出すとともに、端末２Ａ´側に対しては、リングバックトーン２１４を返送する。
【０００８】
（３）呼び出された端末２Ｂ´が、その後、オフフック２１５で応答すると、交換機３Ｂ´は、ＳＳ線をＳＳオン２１６して、回線接続装置１Ｂ´に応答を通知する。回線接続装置１Ｂ´は、ＳＳオン２１６を検出すると、相手の回線接続装置１Ａ´へ、応答信号２１７を返送し、その応答信号を受けた回線接続装置１Ａ´は、交換機３Ａ´へＳＲ線でＳＲオン２１８する。
【０００９】
（４）これら一連のシーケンスによって、端末２Ａ´と端末２Ｂ´は、通話２１９の状態になることかできる。
【００１０】
このように、従来の回線接続装置１Ａ´は、相手側からの接続確認信号２０６を受け、更に、相手からのダイヤルトーン２０７が到達するまでのシーケンス的な十分な時間の後に、交換機３Ａ´からのダイヤル回線情報を受付けるようになっていた。
【００１１】
したがって、このシーケンスで、接続確認信号２０６や、ダイヤルトーン２０７以前に回線接続装置１Ａ´へ通知されるようなダイヤル回線情報は、回線接続装置１Ａ´によって無視されることとなり、誤ダイヤルを招くなどの事象を生じさせていた。
【００１２】
【発明が解決しようとする課題】
本発明は、上記問題点に鑑みてなされたものであり、その目的とするところは、回線接続装置間の接続シーケンスが確立し、交換機からのダイヤル回線情報が受け取れる状態以前であっても、回線接続装置にて、ダイヤル回線情報を蓄積し、交換機からのダイヤル回線情報を正常に相手の回線接続装置に伝送することが可能な回線接続装置及び記録媒体を提供することにある。
【００１３】
【課題を解決するための手段】
本発明は、ディジタル専用線との接続インタフェースと、ＳＳ線／ＳＲ線のＯＤインタフェースと、を有する回線接続装置であって、前記ＯＤインタフェースからのダイヤル回線情報を蓄積するダイヤル蓄積制御部を有する回線接続装置である。
【００１４】
また、本発明は、上記ディジタル専用線を経由した、相手の回線接続装置からのダイヤルトーンを検出するダイヤルトーン検出回路を有する回線接続装置である。
【００１５】
そして、本発明は、上記ダイヤル蓄積制御部は、ＳＳオンを検出し、かつ、相手の回線接続装置からのダイヤルトーンを検出していないとき、ダイヤル回線情報を蓄積する回線接続装置である。
【００１６】
更に、本発明は、上記ダイヤル蓄積制御部は、相手の回線接続装置からのダイヤルトーンを検出すると、蓄積したダイヤル回線情報を送出する回線接続装置である。
【００１７】
また、本発明は、ディジタル専用線との接続インタフェースと、ＳＳ線／ＳＲ線のＯＤインタフェースと、を有する回線接続装置に使用される記録媒体であって、相手の回線接続装置からのダイヤルトーンを検出する機能、ＳＳオンを検出し、かつ、相手の回線接続装置からのダイヤルトーンを検出していないとき、ＯＤインタフェースからのダイヤル回線情報を蓄積する機能、相手の回線接続装置からのダイヤルトーンを検出すると、蓄積したダイヤル回線情報を送出する機能、をコンピュータに実現させるためのプログラムを記録したコンピュータ読取可能な記録媒体である。
【００１８】
【発明の実施の形態】
発明の実施の形態を説明する。
本発明の回線接続装置の実施例について、図１〜図３を用いて説明する。図１は、実施例の回線接続装置におけるＣＰＵ内部の機能ブロックの説明図である。図２は、実施例の回線連続装置におけるオフフックから通話までの基本動作を示すシーケンスの説明図である。図３は、回線接続装置を使用するシステムの一例の説明図である。
【００１９】
実施例を説明する。本実施例の回線接続装置は、図３に示すように、電話機２Ａ、２Ｂ、交換機３Ａ、３Ｂ及びディジタル専用線４を接続するシステムで使用される。そして、実施例の回線接続装置は、図１に示すように、ＳＳ／ＳＲ制御部・ＳＳ／ＳＲ送受信回路１１、ダイヤル蓄積制御部１２、ＰＢ変換制御部・ＰＢ変換回路１３、アナログ／ディジタル変換回路１４、ダイヤルトーン検出回路１５、回線制御部・回線送受信回路１６を備えている。ＳＳ／ＳＲ制御部・ＳＳ／ＳＲ送受信回路１１は、交換機とのインターフェースＳＳ線２１とＳＲ線２２を送受信制御し、そして、ダイヤル蓄積制御部１２と接続している。ダイヤル蓄積制御部１２は、ＳＳ／ＳＲ制御部・ＳＳ／ＳＲ送受信回路１１、ＰＢ変換制御部・ＰＢ変換回路１３及びダイヤルトーン検出回路１５と接続しており、交換機からのダイヤル回線情報を一時的に蓄積する。ＰＢ変換制御部・ＰＢ変換回路１３は、ＳＳ／ＳＲ制御部・ＳＳ／ＳＲ送受信回路１１へ信号を送出し、そして、ダイヤル蓄積制御部１２及びアナログ／ディジタル変換回路１４とデータの送受を行い、ダイヤル回線情報をＰＢ信号に変換する。アナログ／ディジタル変換回路１４は、交換機とのアナログデータパスでアナログデータ２３を送受し、ダイヤルトーン検出回路１５にデータを送出し、回線制御部・回線送受信回路１６とディジタルデータ２４を送受し、そして、アナログデータをディジタルデータに、また、その反対に変換する。ダイヤルトーン検出回路１５は、アナログ／ディジタル変換回路１４からデータを受け、相手からのダイヤルトーンを検出し、ダイヤル蓄積制御部１２にダイヤルトーン検出を通知する。回線制御部・回線送受信回路１６は、アナログ／ディジタル変換回路１４とデータを送受し、そして、ディジタル専用線との間でディジタルデータ２４を送受信する。
【００２０】
実施例の回線接続装置における、接続開始（オフフック）から通話までの基本的なシーケンスの一例について、図２を用いて説明する。
（１）待機状態から発信動作により、オフフック状態１０１になると、端末２Ａから交換機３Ａヘオフフック１０２が通知される。それにより、交換機３Ａは、回線接続装置１ＡへＳＳ線をＳＳオン１０３し、回線接続装置１Ａへ発信を要求する。回線接続装置１Ａ内のＳＳ／ＳＲ制御部・ＳＳ／ＳＲ送受信回路により、ＳＳオン１０３を検出し、拍手の回線接続装置１ＢへＰＢ信号により、起動信号１０４を伝達する。起動信号１０４を受けた回線接続装置１Ｂは、交換機３Ｂに対して、ＳＲ線をＳＲオン１０５するとともに、接続確認信号１０６を返送する。
【００２１】
（２）その後、着側の交換機３Ｂからのダイヤルトーン１１０が聞こえる前に、端末２Ａからのダイヤル回線情報１０７が発生すると、交換機３ＡからのＳＳ線によるダイヤル回線情報１０８を受け、回線接続装置１Ａ内のダイヤル蓄積制御部にてダイヤル回線情報蓄積１０９処理を行うとともに、相手からのダイヤルトーン検出監視を継続する。端末２Ａからのダイヤル回線情報１０７は全て、これらのダイヤル回線情報蓄積１０９処理の繰り返しにより、回線接続装置１Ａ内に蓄積する。相手からのダイヤルトーンは、回線接続装置１Ａ内のダイヤルトーン検出回路４０９にて監視しており、ダイヤルトーン１１０の受信が検出されると、回線接続装置１Ａは、ダイヤル蓄積制御部に蓄積していたダイヤル回線情報を全てＰＢ変換制御部・ＰＢ変換回路にてＰＢ変換１１１し、ダイヤル回線情報を回線制御部・回線送受信回路からディジタルデータとして、ディジタル専用線４へ送出され、相手の回線接続装置１ＢへＰＢダイヤル回線情報１１２が伝送される。ＰＢダイヤル回線情報１１２を受取った回線接続装置１Ｂは、ＰＢ変換制御部・ＰＢ変換回路によってＰＢダイヤル回線情報１１２を解析し、ＳＳ／ＳＲ制御部・ＳＳ／ＳＲ送受信回路から、交換機３Ｂに対して、ＳＲ線によって、ＳＲ線によるダイヤル回線情報１１３を送出する。ダイヤル蓄積制御部に蓄積されたダイヤル回線情報の伝達１１２が全て終了するまで、この一連のダイヤル伝送処理が繰り返される。一連のダイヤル回線情報伝送が終了すると、交換機３Ｂは、ダイヤル回線情報伝達終了を認識し、端末２Ｂに対してＩＲ出力１１４を行って、端末２Ｂを呼び出すとともに、端末２Ａ側に対しては、リングバックトーン１１５を返送する。
【００２２】
（３）呼び出された端末２Ｂが、その後、オフフック１１６で応答すると、交換機３Ｂは、ＳＳ線をＳＳオン１１７して回線接続装置１Ｂに応答を通知する。回線接続装置１Ｂは、ＳＳオン１１７を検出すると、相手の回線接続装置１Ａへ応答信号１１８を返送し、その応答信号１１８を受けた回線接続装置１Ａは、交換機３ＡへＳＲ線でＳＲオン１１９する。
【００２３】
（４）これら一連のシーケンスによって、端末２Ａと端末２Ｂは、通話１２０の状態になることができる。
【００２４】
本実施例によれば、発側の回線接続装置によって蓄積されるため、着側の交換機からのダイヤルトーン以前に発側の回線接続装置へ通知されるようなダイヤル回線情報でも、着側の回線接続装置へ伝送することを可能とすることができる。
【００２５】
なお、上記実施例では、発側の端末からダイヤル回線情報が回線接続装置へ通知されるのは、着側の回線接続装置から接続確認信号が返送された後となる例を記述したが、これに限るものではなく、発側の交換機のＳＳ線オン（発信要求）以後は適用できるものである。
【００２６】
また、上記実施例では、回線接続装置について説明したが、相手の回線接続装置からのダイヤルトーンを検出する機能、ＳＳオンを検出し、かつ、相手の回線接続装置からのダイヤルトーンを検出していないとき、ＯＤインタフェースからのダイヤル回線情報を蓄積する機能、相手の回線接続装置からのダイヤルトーンを検出すると、蓄積したダイヤル回線情報を送出する機能、をコンピュータに実現させるためのプログラムを記録したコンピュータ読取可能な記録媒体（例えば、ＣＤ−ＲＯＭ等）に格納することは可能であり、そして、この記録媒体を使用することにより、マイコン等を回線接続装置として機能させることができる。
【００２７】
【発明の効果】
本発明によれば、回線接続装置間の接続シーケンスが確立し、交換機からのダイヤル回線情報が受け取れる状態以前であっても、回線接続装置にて、ダイヤル回線情報を蓄積し、交換機からのダイヤル回線情報を正常に相手の回線接続装置に伝送することが可能な回線接続装置を得ることができる。
【図面の簡単な説明】
【図１】実施例の回線接続装置におけるＣＰＵ内部の機能ブロックの説明図。
【図２】実施例の回線連続装置におけるオフフックから通話までの基本動作を示すシーケンスの説明図。
【図３】回線接続装置を使用するシステムの一例の説明図。
【図４】従来例の回線接続装置におけるＣＰＵ内部の機能ブロックの説明図。
【図５】従来例の回線接続装置におけるオフフックから通話までの基本動作を示すシーケンスの説明図。
【符号の説明】
１、１Ａ、１Ｂ  回線接続装置
１１  ＳＳ／ＳＲ制御部・ＳＳ／ＳＲ送受信回路
１２  ダイヤル蓄積制御部
１３  ＰＢ変換制御部・回線送受信回路
１４  アナログ・ディジタル変換回路
１５  ダイヤルトーン検出回路
１６  回線制御部・回線送受信回路
２Ａ、２Ｂ  端末
２１  ＳＳ線
２２  ＳＲ線
２３  アナログデータ
２４  ディジタルデータ
３Ａ，３Ｂ  交換機
４  ディジタル専用線
【図１】
0004397107.tif 000002
【図２】
0004397107.tif 000003
【図３】
0004397107.tif 000004
【図４】
0004397107.tif 000005
【図５】
0004397107.tif 000006